(57)【特許請求の範囲】
【請求項１】
入力手段と、表示手段と、通信手段と、制御手段とを備え、カラオケ演奏装置に対して楽曲の演奏リクエストを可能とするカラオケ選曲装置であって、
入力手段は、利用者からの各種入力を受け付け可能とし、
表示手段は、制御手段の制御に基づいて表示を行い、
通信手段は、カラオケホスト装置と相互に通信が可能であり、
制御手段は、リスト取得処理と、リスト表示処理とを可能とし、
リスト取得処理は、通信手段を介し、利用者に対し関連する楽曲を問うテーマと、それに対応した楽曲のランキングを含んだテーマリストを取得し、
リスト表示処理は、利用者の指示に基づいてテーマリストを表示すると共に、表示したテーマリストに基づいた選曲処理と、投票処理とを可能とし、
選曲処理は、テーマリストに含まれる楽曲の演奏リクエストを可能とし、
投票処理は、テーマリストに含まれる楽曲の投票を受け付け、通信手段を介して送信する
カラオケ選曲装置。
【請求項２】
リスト表示処理は、利用者の指示に基づくテーマリストの検索を可能とする
請求項１に記載のカラオケ選曲装置。
【請求項３】
制御手段は、利用者の入力に基づいて、カラオケホスト装置と認証処理を行うことでログインさせるログイン処理を可能とすると共に、ログインしている利用者の同一テーマに対する二重投票を受け付けない
請求項１または請求項２に記載のカラオケ選曲装置。
【請求項４】
投票処理は、テーマリストに含まれていない楽曲についても投票可能とする
請求項１乃至請求項３のいずれか１つに記載のカラオケ選曲装置。
【請求項５】
請求項１乃至請求項４のいずれか１つに記載のカラオケ選曲装置と、
カラオケホスト装置とを備えるカラオケシステムであって、
カラオケホスト装置は、送信処理と、集計処理とを可能とし、
送信処理は、テーマリストをカラオケ選曲装置に送信し、
集計処理は、カラオケ選曲装置から受信したテーマに対する楽曲の投票に基づいてテーマリストを更新する
カラオケシステム。
【発明の詳細な説明】
【技術分野】
【０００１】
本発明は、カラオケ選曲装置、および、カラオケ選曲装置とカラオケホスト装置とで構成されたカラオケシステムに関するものである。
【背景技術】
【０００２】
通信型カラオケ装置では、新たな楽曲をホスト装置から配信する通信技術をベースとしてネットワーク化、並びに、そのアプリケーション開発が進み、近年ではインターネットなどの通信網を介してホスト装置と通信接続したシステムが構築されている。
【０００３】
一方、記憶媒体の大容量化に伴い、通信型カラオケ装置にて記憶する楽曲も日々増加しており、近年では十数万曲の楽曲を蓄積するに至っている。これら大量の楽曲の中から利用者が所望のものを選択することは容易ではなく、現在に至るまで各種検索手法が開発されている。
【０００４】
特許文献１（特開２００４−１１７５８７号公報）には、所定時間内に選択された複数の演奏曲と共通する共通属性情報を有する演奏曲を判定し、推薦曲として表示し、場の雰囲気に沿った演奏曲を推奨する選曲支援装置が記載されている。また、特許文献２（特開２００４−２１２５８８号公報）には、演奏曲の複数種類の属性情報を演奏曲毎に記憶しておき、設定条件入力手段にて入力された複数の設定条件に対応する所定の属性情報を有する演奏曲を選択して演奏する音楽再生装置について記載されている。
【特許文献１】特開２００４−１１７５８７号公報
【特許文献２】特開２００４−２１２５８８号公報
【発明の開示】
【発明が解決しようとする課題】
【０００５】
しかしながら、特許文献１の選曲支援装置における共通属性情報も、特許文献２の演奏曲の属性情報のどちらも、メーカー側で予め決められたものが用いられるため、利用者の意見を反映した楽曲の選曲が行えるものではない。
【０００６】
また、特許文献１の選曲支援装置は、利用者が選曲した演奏曲に関連する演奏曲を推奨するものであり、また、特許文献２の音楽再生装置は、利用者が指定した複数の設定条件に関連する演奏曲を演奏するものであって、利用者が演奏曲を選曲、あるいは、設定条件を指定することで関連する演奏曲を推奨、演奏するものであり、利用者に対して新しい選曲の観点を提供するものではない。
【課題を解決するための手段】
【０００７】
本発明は、従来の問題や不都合を解決するために提案されたものであり、テーマという新しい観点を採用したことによる楽曲選曲について提言するものである。
【０００８】
そのため、請求項１に係るカラオケ選曲装置は、入力手段と、表示手段と、通信手段と、制御手段とを備え、カラオケ演奏装置に対して楽曲の演奏リクエストを可能とするものであって、入力手段は、利用者からの各種入力を受け付け可能とし、表示手段は、制御手段の制御に基づいて表示を行い、通信手段は、カラオケホスト装置と相互に通信が可能であり、制御手段は、リスト取得処理と、リスト表示処理とを可能とし、リスト取得処理は、通信手段を介し、利用者に対し関連する楽曲を問うテーマと、それに対応した楽曲のランキングを含んだテーマリストを取得し、リスト表示処理は、利用者の指示に基づいてテーマリストを表示すると共に、表示したテーマリストに基づいた選曲処理と、投票処理と
を可能とし、選曲処理は、テーマリストに含まれる楽曲の演奏リクエストを可能とし、投票処理は、テーマリストに含まれる楽曲の投票を受け付け、通信手段を介して送信することを特徴とするものである。
【０００９】
さらに、請求項２に係るカラオケ選曲装置において、リスト表示処理は、利用者の指示に基づくテーマリストの検索を可能とすることを特徴とするものである。
【００１０】
さらに、請求項３に係るカラオケ選曲装置において、制御手段は、利用者の入力に基づいて、カラオケホスト装置と認証処理を行うことでログインさせるログイン処理を可能とすると共に、ログインしている利用者の同一テーマに対する二重投票を受け付けないことを特徴としている。
【００１１】
さらに、請求項４に係るカラオケ選曲装置において、投票処理は、テーマリストに含まれていない楽曲についても投票可能とすることを特徴としている。
【００１２】
また、請求項５に係るカラオケシステムは、請求項１乃至請求項４のいずれか１つに記載のカラオケ選曲装置と、カラオケホスト装置とを備えるカラオケシステムであって、カラオケホスト装置は、送信処理と、集計処理とを可能とし、送信処理は、テーマリストをカラオケ選曲装置に送信し、集計処理は、カラオケ選曲装置から受信したテーマに対する楽曲の投票に基づいてテーマリストを更新することを特徴としている。
【発明の効果】
【００１３】
本発明によれば、利用者の投票により更新されるテーマリストを提示することで選曲を行うことができるものであって、従来の各種選曲手法と比較して（１）〜（４）のような各種の効果が期待できる。
（１）テーマリストは、利用者に対し関連する楽曲を問うテーマとそれに対応した楽曲のランキングを含んでいるため、利用者は、新しい観点での楽曲検索を行うことが出来る。（２）テーマとして、様々なシチュエーションを想定したテーマを提供することで、「結婚式」、「卒業式」などのイベント時のカラオケ利用において、その状況に沿った楽曲を検索することが出来る。
（３）カラオケ選曲装置は、通信手段を介してカラオケホスト装置と接続されており、利用者がテーマに関し投票した楽曲を当該カラオケホスト装置にてランキング集計し、カラオケ選曲装置に再配布することが出来るため、当該テーマに対して利用者の意見を反映した楽曲検索を行うことが出来る。
（４）提供されるテーマに基いた楽曲は、利用者による投票によって更新されるため、利用者の間での話題作りに寄与することができる。
【発明を実施するための最良の形態】
【００１４】
以下、本発明の実施形態を図面を参照しながら説明を行う。図１は、本発明の実施形態に係るカラオケシステムを示した図であり、特に、１つの店舗にて複数のコマンダ、いわゆるカラオケ演奏装置を設置して営業を行うカラオケボックスとしての一実施形態を示した図である。
【００１５】
図１において、５０は通信網、６０はルータ、７０は無線アクセスポイント、１００はホスト装置、２００はリモコン装置、３００はコマンダをそれぞれ示している。本実施形態において、各コマンダ３００はｒｏｏｍ１〜ｒｏｏｍ４毎に１台ずつ配置され、リモコン装置２００からリクエストされた楽曲を演奏する。例えば、コマンダ１が設置されるｒｏｏｍ１には１台のリモコン装置１が配置され、コマンダ１はリモコン装置１からの楽曲リクエストを受け付けることができる。また、コマンダ４が設置されたｒｏｏｍ４では２台のリモコン装置４−１、４−２が配置され、コマンダ４は、リモコン装置４−１、４−
２のどちらからも楽曲リクエストを受け付けることが可能となっている。なお、コマンダ３００のフロントパネルなどに設けられた入力手段からも楽曲のリクエストは可能となっている。
【００１６】
各コマンダ３００は、ＬＡＮによりルータ６０と接続されており、インターネット回線といった通信網５０を介してホスト装置１００と通信接続されている。このように通信接続されることで各コマンダ３００は、ホスト装置１００から楽曲配信や、プログラム配信を受信することができると共に、ホスト装置１００に対して利用履歴などを送信することができる。
【００１７】
コマンダ３００が接続されるＬＡＮ上には、無線アクセスポイント７０も接続されており、各リモコン装置２００と無線通信が可能なように設定されている。このように設定することで、各リモコン装置２００はコマンダ３００と同様、通信回線を介してホスト装置１００と通信を行うことが可能である。リモコン装置２００がホスト装置１００と通信を行うことで、ホスト装置は、利用者がログインしているリモコン装置２００に対して会員サービスを提供することができる。
【００１８】
会員サービスは、各会員の情報をホスト装置１００で管理することで、利用者がどのリモコン装置２００からログインしても、各利用者に対するサービスを受けることができるものであって、例えば、各利用者の予約履歴を管理して再来店した場合に参照可能としたり、予め利用者が気に入った歌手を登録しておき、その歌手の持ち歌を参照可能としたり、登録しておいた十八番を参照可能とする選曲補助や、採点履歴に基づいて他の利用者と得点を競ったりするサービス提供ができる。
【００１９】
本実施形態では、ＬＡＮを介して複数のコマンダ３００が接続された、いわゆるカラオケボックスでの営業形態を説明したが、スナックなどのナイト店においては、コマンダ３００が１台設置される共に、リモコン装置２００が１台乃至数台設置される構成が採用されることととなる。
【００２０】
次に、本発明のカラオケシステムにおいてカラオケ演奏装置となるコマンダ３００についてより詳しく説明する。図２は本発明の実施の形態に係るカラオケシステムで用いられるコマンダ３００及びその周辺のブロック構成を示す図である。図２において、３０１はコマンダ制御手段、３０２はコマンダ通信手段、３０３はフロントパネル表示手段、３０４は表示制御手段、３０５はコマンダ記憶手段、３０６はコマンダ入力手段、３０７は音源、３０８はミキサ手段、４０１はアンプ、４０２はスピーカー、４０３はマイクロフォン、４０５はディスプレイをそれぞれ示している。
【００２１】
カラオケルームなどの空間に設置されるコマンダ３００には、ＣＲＴやＴＦＴ等の映像表示装置であるディスプレイ４０５、音声増幅装置であるアンプ４０１が接続されており、コマンダ３００からの制御出力によりディスプレイ４０５に歌詞映像と背景画像を表示し、歌詞映像の表示と同期させてカラオケ楽曲の再生信号をアンプ４０１へ送出し、スピーカー４０２から演奏音が得られるようにしている。そして、前記アンプ４０１には、ミキサ手段３０８を介してマイクロフォン４０３が接続されており、利用者は、歌詞映像に合わせてこのマイクロフォン４０２から自身の発声を入力し歌唱することになる。
【００２２】
コマンダ制御手段３０１は、コマンダシステム全体の制御を司る。コマンダ記憶手段３０５にはハードディスクなどが用いられ、ホストサーバ１００から受信した楽曲データ、映像データやカラオケ演奏以外の機能を実行させるデータであるデータが記憶される。
【００２３】
コマンダ通信手段３０２は、周知の規格の有線ＬＡＮなどが用いられ、リモコン装置２
００からコマンダ３００に対する制御命令や、楽曲データ、映像データやファームウエアデータなどをホストサーバ１００からダウンロードするために利用される。また、ＬＡＮを介して他のコマンダやその他の機器に接続する機能も有し、他のコマンダや他の機器との間で情報の送受信が可能とされる。
【００２４】
コマンダ入力手段３０６は、コマンダ３００のフロントパネルなどに設けられた各種スイッチ機能であり、予約選曲、キーコントロール、歌唱プログラムなどカラオケ装置特有の機能を手動設定が可能となるようにしている。表示制御手段３０４は、カラオケ楽曲に伴う映像や、その他、コンテンツデータ、広告データなどの映像データをディスプレイ４０５にて表示するための表示制御を行う。音源３０７は、ＭＩＤＩ、ＰＣＭ、ＭＰＥＧなどの規格に基づく楽曲データに基づいて楽音信号を形成する。ミキシング手段３０８は、音源３０７が形成した複数の楽音信号とマイクロフォン４０３から入力される歌唱者の歌唱音声信号を適宜なバランスで混合する。このミキシング手段３０８で混合された信号、アンプ４０１に出力されてスピーカ４０２から放音出力されることとなる。
【００２５】
この他にも、従来のリモコン装置で使用されるＩＲ信号を送受信可能とする通信手段を予備的に設け、ＩＲ信号による楽曲リクエストにも対応できる構成としてもよい。
【００２６】
次に、本発明のカラオケシステムにおけるカラオケ選曲装置となる、リモコン装置２００についてより詳しく説明する。図３（Ａ）、図３（Ｂ）は本発明の実施の形態に係るカラオケシステムで用いられるリモコン装置の構成を示す図である。
【００２７】
図３（Ａ）は、リモコン装置のブロック構成を示した図であって、２０１は制御手段、２０２は通信手段、２０３は指紋読取手段、２０４は記憶手段、２０５は表示手段、２０６はタッチ式センサを示している、そして、２０５の表示手段とその表面に設置される透明のタッチ式センサ２０６とでタッチパネル２０７を構成している。
【００２８】
リモコン装置２００は、制御手段２０１が装置全体の制御を司る。記憶手段２０４としては、ＲＡＭなどメモリやハードディスクなどが用いられ、楽曲選択のためのリストやサービス処理を行う際の利用者情報、並びに、本発明で使用するテーマリストなどが格納される。
【００２９】
タッチ式センサ２０６は、利用者の指やスタイラスなどの接触による入力操作を可能としている。タッチ式センサ２０６による入力を可能とするため、表示手段２０５にはタッチ式センサ２０６に対する制御と連動した表示画像が表示されるようにプログラムされてる。このタッチ式センサ２０６と表示手段２０５により、いわゆるタッチパネル２０７が構成される。なお、本実施形態では、入力手段としてタッチ式センサ２０６を用いる例について説明したものであるが、本発明はこれに限定されるものではなく、例えば、キーボード、カーソルキーなどによる機械的入力手段に代えてもよい。また、これらをタッチ式センサ２０６と併せて用いてもよい。
【００３０】
通信手段２０２は、本実施形態では、無線アクセスポイント７０との間で無線ＬＡＮ規格（例えば、ＩＥＥＥ８０２．１１ａ／ｂ／ｇ規格など）などに従った無線通信を行い、ホスト装置１００と通信接続するための無線通信手段である。なお、このホスト装置１００との通信は、例えば、Ｂｌｕｅｔｏｏｔｈ（登録商標）などで実現しても構わない。その場合、各コマンダ３００には、Ｂｌｕｅｔｏｏｔｈ規格の通信手段が設けられることとなり、リモコン装置２００はコマンダ３００を経由してホスト装置１００と通信を行うこととなる。
【００３１】
本実施形態において、リモコン装置２００からの楽曲リクエストは、この通信手段２０
２を介して行われることとなる。すなわち、コマンダ３００とリモコン装置２００が予め対応付けられることで、同一のＬＡＮ上に接続されていても、コマンダ３００は自分に対する楽曲リクエストであることを判別することができ、楽曲リクエスト機能を実現する。
【００３２】
指紋読み取り手段２０３は、利用者がその表面を押圧、もしくは、スライドさせることで利用者の指紋を読み取る機能を有するものであり、読み取った指紋に基づいて認証処理が行われ利用者はサービスにログインすることとなる。なお、利用者によってはログインのための認証方法として、指紋認証を好まないというような場合がある。そこで、本実施形態におけるカラオケシステムでは、この指紋読取手段２０３を利用した指紋認証を行うか、タッチパネル２０７からのパスワード入力による認証を行うかを利用者が選択できるようになっている。
【００３３】
図３（Ｂ）は、このリモコン装置２００の外観（正面図）を示したものであり、筐体中央にはタッチパネル２０７が配置され、利用者に対して各種の表示を行うと共に、スタイラス４０６あるいは指を接触させることによる利用者の入力を受け付ける。本実施形態では、入力手段としてこのタッチパネル２０７のみを利用しているが、この他にも各種の入力手段の形態は変更可能であり、例えば、画面周囲に配置される各種キーにより利用者の入力を受け付ける形態などが考えられる。
【００３４】
タッチパネル２０７右上には指紋読取手段２０３が設けられている。左右どちらかに偏らせて指紋読取手段２０３を設けることで、カラオケリモコン装置２００を扱う利用者は、指紋読取の際、意識せずとも偏らせた側の手の指を使用することとなり、どちらの手で認証を行ったかを覚えておく必要がない。この指紋読取手段２０３上に指をスライドさせることで指紋の読み取りが行われることとなる。読み取られた指紋は制御手段２０１において適宜なアルゴリズムで特徴が抽出され指紋情報に変換されることとなる。
【００３５】
以上、図１〜図３を用いて本システムにおけるハードウェア構成を説明したが、これらハードウェア構成を利用した、本発明の実施形態に係るテーマ検索について説明を行う。
【００３６】
図４（Ａ）、図４（Ｂ）は、図３（Ｂ）のタッチパネル２０７に表示される２種類の初期画面を示したものであって、枠で囲まれた文字やアイコン（ボタン）をタッチすることで、それに応じた処理が実行される。図４（Ａ）は会員サービスに登録していないゲストとしての利用者が各種選曲を行うためのゲスト画面、図４（Ｂ）は会員サービスに登録した利用者がホストとの認証においてログインした後、会員サービスを利用している状態での利用者画面を示している。図４（Ａ）、図４（Ｂ）の左側には、共通して「新譜」、「歌手名」、「曲名」に代表される９つのボタンを備えた選曲メニューが表示され、歌手名や楽曲名を指定することによる通常選曲や各種ゲームなどを選択することが可能となっている。これらは、図４（Ａ）と図４（Ｂ）とで共通しており、会員サービスに登録していない利用者（ゲスト）、会員サービスを利用中の利用者に関わらず共通して利用可能となっている。
【００３７】
一方、画面右側には、利用者が会員サービスを利用するための各種ボタンを備えた利用者メニュー６００が設けられており、図４（Ｂ）にみられるように、会員サービスを利用している場合には、利用者のニックネームまたは氏名（図では「ああああ  さん」が利用中）、利用者が事前に登録した写真、アイコン、アバターなどが表示される。
【００３８】
会員サービスを利用している利用者は、図４（Ｂ）の「マイメニュー」、「あなたへのオススメ」、「マイリスト」、「マイりれき」といったボタンにタッチすることで、それらに応じた会員サービスを受けることができる。本実施形態では「マイメニュー」ボタンを選択すると、本システム内に構築されたメールシステムを利用したメールサービス（不
図示）や、各種設定を行うことが可能であり、また、「あなたへのオススメ」ボタンを選択すると、利用者の登録情報などによる楽曲推薦が行われ、「マイリスト」ボタンを選択すると、利用者が登録している十八番から選曲が可能となり、また、「マイりれき」ボタンを選択すると、利用者がこれまでに歌唱した楽曲が履歴順に表示されることとなる。
【００３９】
一方、図４（Ａ）のゲスト画面では、会員サービスが利用されていないため、この利用者メニュー６００には、個人認証、新機能などの紹介メッセージや、新譜広告などが表示されることとなる。さらに、図４（Ａ）、図４（Ｂ）には共通して「メンバー一覧」、「新規登録」、「ログイン」といったボタンが設けられており、利用者の会員サービスへの参加、サービスを受ける利用者の変更を可能としている。利用者が「メンバー一覧」ボタンを選択すると、図示しないメンバー画面に移動して、現在、会員サービスを利用中の利用者を表示することとなる。
【００４０】
図４（Ａ）、図４（Ｂ）における「いろいろ検索」ボタン５０１を選択すると、図５に示す種々の検索手法を選択可能とするメニュー画面に移動することとなる。本発明の実施の形態であるテーマを利用した検索は、この図５の画面において「テーマ検索」ボタン５０２を選択することで実行される。
【００４１】
図６は、このテーマ検索を実行した際の初期画面を示したものであって、選曲メニュー５００の欄には、利用者に対して関連する楽曲を問うテーマの一覧が表示される。図では６つのテーマのボタンが表示されており、このボタンを選択することで、図７に記載する対応したテーマの詳細画面に移動する。図６に表示されるテーマには、上から順に「卒業式に盛り上がる歌を教えて！」、「卒業式に泣ける曲を教えて！」、「結婚式にオススメの曲は！」、「彼女にフラれたときに歌う歌はコレ」、「９０年代に流行ったアノ曲」など、各種イベントや状況、あるいは、トピックといったテーマに関する曲を利用者に問いかける。
【００４２】
これら６つのテーマ以外にも、その下に表示されている「ページ」ボタンにタッチすることで、ページを切替え、更なる別のテーマを参照することが出来る。また、「テーマ」ボタン５０３の右上には「テーマを絞り込む」ボタン５０４が表示されており、利用者が入力したキーワードによりテーマの検索を行うことが可能となる。
【００４３】
図７にテーマを選択した際、移動する各テーマの詳細画面を提示したものである。図に示したものは「卒業式に盛り上がる歌を教えて！」を選択した場合のものとなっている。ボタン５０５には曲名、歌手名を含む楽曲情報が記載されており、これを選択することで当該楽曲の演奏リクエストを行うことが出来る。すなわち、当画面にていずれかのボタン５０５を選択すると、リモコン装置２００の通信手段２０２から、コマンダ３００に対して当該楽曲を演奏するための指令が発せられることとなる。
【００４４】
また、このボタン５０５の上下の並びは、上から当該テーマに関するランキングを表したものとなっている。本実施形態では図７で示したように順位を示した数字の下に投票数も記載されたものとしている。また、図には１位〜４位の楽曲が表示されているが、これ以外の順位の楽曲についても閲覧したい場合には、図面中央下に記載されている「ページ」ボタンにタッチすることで、他の順位の楽曲を閲覧することもできる。
【００４５】
当該テーマにおける楽曲に対する投票は、楽曲情報が記載されたボタン５０５の左側の位置にて対応する「投票」ボタン５０６をタッチすることで行われることとなる。「投票」ボタン５０６にタッチすることで、リモコン装置２００側では、当該楽曲に投票されたことを判断し、図３の通信手段２０２を介して当該テーマ、並びに、当該楽曲に関する情報を併せてホスト装置１００に送信する。
【００４６】
この投票は、本実施形態においてログインして会員サービスを利用している利用者のみが行えるようにしてもよいし、リモコン装置２００を利用する誰でも投票できる構成としてもよい。会員サービスを利用している利用者のみが行えるようにする場合においては、例えば、ゲストユーザが本テーマ検索を行う場合には「投票」ボタン５０６を表示しないことでなどにより投票できないようにすることが考えられる。
【００４７】
さらに、ログインして会員サービスを利用している利用者のみとする場合には、投票の公平を期すため、当該利用者に対して同一テーマに対する二重投票を受け付けない、すなわち、１テーマに対して１人１票とするようにしてもよい。
【００４８】
また、本実施形態では、画面に表示されていない楽曲に対しても投票可能としている。「他の曲に投票」ボタン５０７をタッチすることで、歌手名、楽曲名にて楽曲を検索する画面に移動し、所望の楽曲が検索し、当該楽曲に対する投票が可能となるように構成されている。
【００４９】
図８は、本発明の実施の形態に係る投票処理における、リモコン装置２００とホスト装置１００の通信の状況を示した図となっている。なお、本実施形態では、リモコン装置２００とホスト装置１００が直接接続されたものとなっているが、Ｂｌｕｅｔｏｏｔｈなどによる通信手段を利用し、コマンダ３００を介すことでリモコン装置２００とホスト装置１００との通信接続を実現してもよい。
【００５０】
まず、ホスト装置１００からテーマリストがリモコン装置２００に対して配信される。このテーマリストには、テーマ、並びに、楽曲識別子など楽曲に関する情報、および、楽曲の順位、もしくは、楽曲の投票数など楽曲のランキングに関する情報などが記述されている。このようなテーマリストを適宜タイミングでリモコン装置２００に配信することにより図６、図７の画面で説明した処理が可能となる。なお、新たに作成したテーマリストを配信する場合には、本サービス提供者側で適宜に決定した楽曲をテーマリストに含めておくとよい。このようにすることで、まだ実際に投票されていない新規なテーマに対しても図７に示すような表示が可能となる。
【００５１】
テーマリストを受信したリモコン装置２００では、図７にて説明したテーマリストを利用した選曲処理、並びに、投票処理が可能となる。当該テーマの投票処理にて、例えば、第５位に位置する「楽曲ｅｅｅｅ」に対して投票がなされた場合には、リモコン装置２００からホスト装置１００に対して、当該テーマ、並びに、投票された楽曲に関する情報を含んだ投票情報がホスト装置１００に送信される。これを受けたホスト装置１００では、この投票情報に基づいてテーマリストを更新する集計処理が行われる。
【００５２】
以上の処理を、各地に設置されるリモコン装置２００と繰り返し行うことで、テーマに関する利用者の意見を反映した楽曲の順位付けを行うことが可能となる。
【００５３】
以上、本発明によれば、利用者は、新しい観点での楽曲検索を行うことが出来、利用者に対する楽曲選択の幅を広げることが可能となると共に、利用者にテーマを提供することで利用者の間における話題作りに寄与することができる。
【００５４】
以上、本発明の種々の実施形態について説明したが、本発明はこれらの実施形態のみに限られるものではなく、それぞれの実施形態の構成を適宜組み合わせて構成した実施形態も本発明の範疇となるものである。
【図面の簡単な説明】
【００５５】
【図１】本発明の実施形態に係るカラオケシステムを示した図。
【図２】本発明の実施形態に係るコマンダを示した図。
【図３】本発明の実施形態に係るリモコン装置を示した図。
【図４】本発明の実施形態に係る２種類の初期画面を示した図。
【図５】本発明の実施形態に係る開始処理の画面を示した図。
【図６】本発明の実施形態に係るテーマ選択画面を示した図。
【図７】本発明の実施形態に係るテーマ検索の詳細画面を示した図。
【図８】本発明の実施形態に係るリモコン装置とホスト装置の通信の様子を示した図。
【符号の説明】
【００５６】
５０…通信網、６０…ルータ、７０…無線アクセスポイント、１００…カラオケホスト装置、２００…リモコン装置（カラオケ選曲装置）、２０１…制御手段、２０２…通信手段、２０３…指紋読取手段、２０４…記憶手段、２０５…表示手段、２０６…タッチ式センサ（入力手段）、２０７…タッチパネル、３００…コマンダ（カラオケ演奏装置）、３０１…コマンダ制御手段、３０２…コマンダ通信手段、３０３…フロントパネル表示手段、３０４…表示制御手段、３０５…コマンダ記憶手段、３０６…コマンダ入力手段、３０７…音源、３０８…ミキサ手段、４０１…アンプ、４０２…スピーカ、４０３…マイクロフォン、４０４…ディスプレイ、４０５…スタイラス、５００…選曲メニュー、６００…利用者メニュー
【図１】
0005131838.tif 000002
【図２】
0005131838.tif 000003
【図３】
0005131838.tif 000004
【図４】
0005131838.tif 000005
【図５】
0005131838.tif 000006
【図６】
0005131838.tif 000007
【図７】
0005131838.tif 000008
【図８】
0005131838.tif 000009